【事件の表示】
　上記当事者間の登録第２２５１５９１号商標の登録取消審判事件について、次のとおり審決する。
【結　論】
　本件審判の請求は、成り立たない。
　審判費用は、請求人の負担とする。
【理　由】
第１　本件商標
　本件登録第２２５１５９１号商標（以下「本件商標」という。）は、「オリザ」の片仮名文字を横書きしてなり、昭和６３年３月１０日に登録出願、第４類「せつけん類、歯みがき、化粧品、香料類」を指定商品として、平成２年７月３０日に設定登録、その後、同１２年４月２５日に商標権の存続期間の更新登録がなされたものである。
　また、本件審判の請求の登録の日は、平成２１年９月１６日である。
　
第２　請求人の主張
　請求人は、本件商標の登録を取り消す、審判費用は被請求人の負担とする、との審決を求め、その理由を以下のように述べた。
１　請求の理由
　本件商標は、継続して３年以上日本国内において、商標権者、専用使用権者、通常使用権者のいずれによっても使用されていないものと思料する。
　したがって、本件商標は、商標法第５０条により、取り消されるべきである。
　
第３　被請求人の答弁
　被請求人は、結論同旨の審決を求める、と答弁し、その理由を要旨以下のように述べ、証拠方法として、乙第１号証ないし乙第１０号証を提出した。
　答弁の理由
１　乙各号証について　
（１）乙第１号証
　乙第１号証は、商標権者の販売用ソープ（せっけん類）のパンフレットであって、「リアル　オリザ　ボディソープ」及び「リアル　オリザ　エモリエントソープ」が表示されている。
　これらの表示は、商品の広告であって、商標権者のハウスマークである「リアル」と、商品名である「ボディソープ」及び「エモリエントソープ（皮膚を柔らげるせっけんの意）」との間に、それぞれ間隔を置いて「オリザ」が配置されているから、「リアル　オリザ　ボディソープ」及び「リアル　オリザ　エモリエントソープ」の「オリザ」は、商標の要部であって、本件商標の使用にあたる。
　　
（２）乙第２号証
　乙第２号証は、せっけん類に属する「オリザ　ボディソープ」の商品写真であって、背面に大きく、かつ、明瞭に「リアル　オリザ　ボディソープ」が表示されている。
　この「リアル　オリザ　ボディソープ」の表示は、商品に付されており、商標権者のハウスマークである「リアル」と、登録商標の「オリザ」と、商品名である「ボディソープ」とが、それぞれ間隔を置いて配置されているから、この「オリザ」は、商標の要部となり、本件商標の使用である。
　　　　　
（３）乙第３号証
　乙第３号証は、せっけん類に属する「オリザ　エモリエントソープ」の商品写真であって、包装箱の外面に大きく、かつ、明瞭に「リアル　オリザ　エモリエントソープ」が表示されている。
　この「リアル　オリザ　エモリエントソープ」の表示は、商品の包装に付されており、商標権者のハウスマークである「リアル」と、登録商標の「オリザ」と、商品名である「エモリエントソープ」とが、それぞれ間隔を置いて配置されているから、この「オリザ」は、商標の要部となり、本件商標の使用である。
　　　　　　　　　　
（４）乙第４号証
　乙第４号証は、商標権者の発行した商品発注書であって、商品名の一覧が表示され、その中で商品名「オリザ　エモリエントソープ」、容量「８０ｇ」が記載され、コード「Ｃ００６」が付されている。
　また、商品名「オリザ　ボディソープ（ギフト）」、容量「１０００ｍｌ」が記載され、コード「Ｘ０６３」が付されている。
　　　　　　　　　　　　　　　　　
（５）乙第５号証ないし乙第７号証
　乙第５号証は、商標権者が、納入先である有限会社マチエール（住所：新潟県新潟市中央区米山１丁目１１番地１５号）に、「オリザ　ボディソープギフト　１０００ｍｌ」、コード番号「Ｘ０６３」、ロット番号「４２ＥＤ」（欄外に記載）を１０セット、２００８年１０月１５日に売り上げした売上伝票（伝票番号３５０３１)である。
　また、乙第６号証は、商標権者の社内管理資料である包装仕上げ作業票であって、Ｎｏ．２「リアル　オリザ　ボディソープ　１Ｌ」が、２００８年１０月１日及び２日に製品ロット番号「４２ＥＤ」として、合計１２８３本が包装仕上げされたと記録されている。
　製品ロット番号「４２ＥＤ」からみて、この製品の一部が、乙第５号証記載の売上製品になったものである。
　また、乙第７号証は、商標権者が、第５号証の売上伝票（伝票番号３５０３１）に対応して発行した２００８年１０月３１日付けの有限会社マチエールあて請求書の控であって、年月日０８１０１５．伝票Ｎｏ．３５０３１、「オリザ　ボディソープギフト　１０００ｍｌ」１０セットの売上に対応した請求金額が記載されている。
　乙第５号証ないし乙第７号証から、商標権者が本件商標を付した商品「オリザ　ボディソープギフト」が、各書類に記載され、これらの商品が社内で包装仕上げされ、有限会社マチエールに売上げし、かつ、売上代金を請求した際にも「オリザ　ボディソープギフト」が使われている事実が認められる。
　　　　　　　　　　　
（６）乙第８号証ないし乙第１０号証
　乙第８号証は、商標権者が、納入先であるユーキ（住所：大阪府東大阪市横小路６−３−１５）に、「オリザ　エモリエントソープ　８０ｇ」、コード番号「Ｃ００６」、ロット番号「Ｍ０４」（欄外に記載）を１０セット、２００８年１０月６日に売り上げした売上伝票（伝票番号３３７８５）である。
　また、乙第９号証は、商標権者の社内管理資料である包装仕上げ作業票であって、Ｎｏ．２「リアル　オリザ　エモリエントソープ　８０ｇ」が、２００８年６月２７日に製品ロット番号「Ｍ０４」として、合計９６０個が包装仕上げされたと記録されている。
　製品ロット番号「Ｍ０４」からみて、この製品の一部が、乙第８号証記載の売上製品になったものである。
　また、乙第１０号証は、商標権者が、第８号証の売上伝票（伝票番号３３７８５)に対応して発行した２００８年１０月３１日付けのユーキあて請求書の控であって、年月日０８１０　６．伝票Ｎｏ．３３７８５、「オリザ　エモリエントソープ　８５ｇ」１０セットの売上に対応した請求金額が記載されている。
　乙第８号証ないし乙第１０証から、商標権者が、本件商標を付した商品「オリザ　エモリエントソープ」が各書類に記載され、これらの商品が社内で包装仕上げされ、ユーキに売上げし、かつ、売上代金を請求した際にも「オリザ　エモリエントソープ」が使われている事実から、２００８年６月及び１０月に本件商標を使用したものである。
　　　　　　　　　　　
２　むすび
　以上から、商標権者は、本件審判の請求の登録前３年以内に、日本国内において、本件商標の指定商品のうち「せっけん類」について、本件商標を使用していることは、明らかである。
　したがって、本件商標の登録は、商標法第５０条第１項の規定により、取り消すべきでない。
　
第４　当審の判断
１　事実認定
（１）乙第２号証
　乙第２号証は、「ボディソープ」の容器の写真（写し）であるところ、正面には「洗身料」、「ボディソープ」等の文字が表示され、背面には「リアル　オリザ　ボディソープ」、「ＮＥＴ　１，０００ｍｌ　メーカー希望小売価格　３，０００円（税抜）」等の文字及び商標権者の名称が表示されている。
        　
（２）乙第４号証
　乙第４号証は、商標権者を名宛人とする発注書（写し）であるところ、コード「Ｘ０６３」、商品名「オリザ　ボディソープ（ギフト）」、容量「１０００ｍｌ」、定価「３，０００」等の文字が表示されている。
　
（３）乙第５号証　
　乙第５号証は、商標権者の売上伝票（写し）であるところ、伝票番号「３５０３１」、年月日「０８１０１５」、お得意先「（有）マチエール」、商品コード／品名「Ｘ０６３　オリザ　ボディソープギフト　１０００ｍｌ」、数量「１０」、金額「９，４５０」、「４２ＥＤ」等の文字が表示されている。
  　
（４）乙第７号証
　乙第７号証は、有限会社マチエールを名宛人として、２００８年１０月３１日に商標権者が発行した請求書（控）（写し）であるところ、年月日「０８１０１５」、伝票No.「３５０３１」、商品名「オリザ　ボディソープギフト　１０００ｍｌ」、数量「１０」、金額「９，４５０」等の文字が表示されている。
  　
２　判断
　以上の事実を総合すれば、商標権者は、２００８年１０月１５日に、包装容器に「リアル　オリザ　ボディソープ」の標章を付した「ボディソープ」１０セットを、「有限会社マチエール」に譲渡したものと認められる。
　ところで、「リアル　オリザ　ボディソープ」の構成中、「リアル」は商標権者のハウスマークであり、「ボディソープ」は商品の普通名称又は品質を表すものであるから、「リアル　オリザ　ボディソープ」の構成中、「オリザ」の文字部分が、自他商品の識別標識としての機能を果たす要部であるというべきである。そして、「オリザ」の文字部分は本件商標と社会通念上同一といい得るものであるから、「リアル　オリザ　ボディソープ」の標章の表示をもって 、本件商標が使用されたとみて差し支えないというべきである。 
　また、「ボディソープ」が、請求に係る指定商品中の「せっけん類」に属することは明らかである。
　
３　結論
　以上のとおりであるから、被請求人は、審判の請求の登録前３年以内に、日本国内において、商標権者が、請求に係る指定商品中の「せっけん類」について本件商標の使用をしたことを証明したものと認められる。
　したがって、本件商標は、商標法第５０条第１項の規定により、その登録を取り消すべきでない。
　よって、結論のとおり審決する。